(57)【要約】【課題】粘性調味料等を少量で個別に区分け収容でき、供食使用時には面倒な手間を要せず、手指、周囲等を汚損させることなく簡単に取り出し供給できる。【解決手段】上部開放の有底筒状を呈し、内周壁面には雌ネジ２を形成して、底部には収容してある粘稠収容物Ｐを容器本体１外部に供給させる破断可能な被破砕膜４によって閉塞してある供給口３を設けた容器本体１を形成する。容器本体１の雌ネジ２にネジ結合する雄ネジ１１を有して容器本体１内に捻回作用で進入可能になっていて、粘稠収容物Ｐを押出する底部の押出部１３に前記被破砕膜４を破断する尖端を備えた破断突部１４を形成した押出体１０を設ける。また押出体１０の上部には捻回操作部１２を設け、この捻回操作部１２は、有底筒状の押出体１０本体の上部開口部縁に掛け渡し形成する。容器本体１は、粘稠収容物Ｐを供給させる物品容器Ｃの開口部に跨るセット板２１を固定する。【選択図】図１
2007290722.tif 000002
【特許請求の範囲】
【請求項１】
上部開放の有底筒状を呈し、内周壁面には雌ネジが形成されていて、底部には収容してある粘稠収容物を容器本体外部に供給させる破断可能な被破砕膜によって閉塞されている供給口を設けて成る容器本体と、容器本体の雌ネジにネジ結合する雄ネジを有して容器本体内に捻回作用で進入可能になっていて、粘稠収容物を押出する底部の押出部に前記被破砕膜を破断する尖端を備えた破断突部を形成して成る押出体とを備えて成ることを特徴とする粘稠物容器。
【請求項２】
押出体の上部には捻回操作部を設け、この捻回操作部は、有底筒状の押出体本体の上部開口部縁に掛け渡し形成する請求項１に記載の粘稠物容器。
【請求項３】
容器本体は、粘稠収容物を供給させる所定の物品容器の開口部に跨るセット板に固定してある請求項１または２に記載の粘稠物容器。
【請求項４】
容器本体はセット板に着脱自在にし、容器本体には上部にフランジ状の固定縁を設けると共に、この固定縁に連続させて容器本体の外側周面に取付片を配し、セット板には容器本体を嵌め入れる固定孔を開口形成すると共に、取付片が挿入される位置決めスリットを固定孔縁に配した請求項１乃至３のいずれかに記載の粘稠物容器。
【請求項５】
セット板には、このセット板の少なくともいずれか一方の端部に突出伸張可能にした伸張調整板をスライド自在に組み合わせて成る請求項１乃至４のいずれかに記載の粘稠物容器。
【発明の詳細な説明】
【技術分野】
【０００１】
本発明は例えば納豆が１食毎で個別容器に収納された、いわゆる納豆容器において、同梱されている粘稠性の調味料である包装パック入りのカラシ等を収容しておき、手指等を汚損させることなく簡単に押し出して納豆容器内にカラシ等を供給できる粘稠物容器に関する。
【背景技術】
【０００２】
従来から一般的に供食されている納豆は、近時は１食毎に個別の小型容器内に、容易に破断開封できるよう小袋に区分け収容してパック詰めされた醤油、カラシ等の調味料と共に封入され、提供されるようになっている。供食に際し、調味料等は破断させた小袋から取り出し供給し、納豆に混練している。
【特許文献１】特になし
【発明の開示】
【発明が解決しようとする課題】
【０００３】
ところが、カラシは粘性があるためにその小袋を破断開封して取り出すときに手指等で小袋を押し潰すようにしても、小袋内に残留することがある。また手指等で破断開封するとき、切り裂いた開封口からカラシが急に飛び出し、手指、周囲等を汚損させることがある。これは小袋入りのカラシに限らず、粘性がある各種の調味料更には一般的な粘稠物についても同様である。
【０００４】
そこで本発明は叙上のような従来存した諸事情に鑑み創出されたもので、その目的は粘性ある例えばカラシ等の調味料等を少量で個別に区分け収容しておき、しかも簡単に取り出し供給することにある。またその取り出し操作に際し、面倒な手間を要せず、手指、周囲等を汚損させることがない粘稠物容器を提供することにある。
【課題を解決するための手段】
【０００５】
上述した課題を解決するため、本発明にあっては、上部開放の有底筒状を呈し、内周壁面には雌ネジ２が形成されていて、底部には収容してある粘稠収容物Ｐを容器本体１外部に供給させる破断可能な被破砕膜４によって閉塞されている供給口３を設けて成る容器本体１と、容器本体１の雌ネジ２にネジ結合する雄ネジ１１を有して容器本体１内に捻回作用で進入可能になっていて、粘稠収容物Ｐを押出する底部の押出部１３に前記被破砕膜４を破断する尖端を備えた破断突部１４を形成して成る押出体１０とを備えて成る。
押出体１０の上部には捻回操作部１２を設け、この捻回操作部１２は、有底筒状の押出体１０本体の上部開口部縁に掛け渡し形成する。
容器本体１は、粘稠収容物Ｐを供給させる所定の物品容器Ｃの開口部に跨るセット板２１に固定しておくことができる。
容器本体１はセット板２１に着脱自在にし、容器本体１には上部にフランジ状の固定縁２７を設けると共に、この固定縁２７に連続させて容器本体１の外側周面に取付片２８を配し、セット板２１には容器本体１を嵌め入れる固定孔２２を開口形成すると共に、取付片２８が挿入される位置決めスリット２３を固定孔２２縁に配する。
セット板２１には、このセット板２１の少なくともいずれか一方の端部に突出伸張可能にした伸張調整板２４をスライド自在に組み合わせて成る。
【０００６】
以上のように構成された本発明に係る粘稠物容器にあって、例えば粘性調味料である粘稠収容物Ｐを収容してある容器本体１内での押出体１０の捻回操作は、押出体１０の底部における押出部１３を容器本体１の底部側に向かわせる。これと同時に、押出部１３の破断突部１４が被破砕膜４を破断することで供給口３を経て所定の粘稠収容物Ｐを押し出させる。
押出体１０の底部における破断突部１４は、容器本体１底部における供給口３の被破砕膜４を破断することで、容器本体１に収容した粘稠収容物Ｐの導出口を確保させる。また容器本体１内にネジ止めされる押出体１０は、押出体１０自体の捻回によって押出部１３が粘稠収容物Ｐを押圧し、その押圧作用が粘稠収容物Ｐを被破砕膜４における破断部位に案内して供給口３から粘稠収容物Ｐを確実に押出させる。
押出体１０上部の捻回操作部１２は、押出体１０自体を容器本体１内で捻回させ、押出部１３、破断突部１４を供給口３、被破砕膜４側へ進行させる。
セット板２１は、これに固定の容器本体１を所定の物品容器Ｃの開口部に跨がせて載置セットさせ、当該物品容器Ｃと共に保持固定されることで、容器本体１内での押出体１０の捻回操作を円滑にさせる。
容器本体１に設けた固定縁２７、取付片２８は、セット板２１に設けられている固定孔２２、位置決めスリット２３との嵌め合いで、相互に別部材となっている容器本体１とセット板２１とを、セット板２１に対して容器本体１を回転不能な状態で位置決めセットして組み合わせ、押出体１０による捻回操作を円滑にさせる。
セット板２１に対して突出長さの調整が自在な伸張調整板２４は、セット板２１自体の全体長さを自在に調整させ、物品容器Ｃに載置セットするとき、これの開口部幅員の大小に対応させる。
【発明の効果】
【０００７】
本発明は以上説明したように構成されているため、例えば個食に適する容量で小分け包装される納豆の如き各種の食品を収納している小型パック型の物品容器Ｃ内に、あるいはこの物品容器Ｃに添えられる調味料容器として利用できる。こうすることで、供食するときに添加されるカラシの如き粘性ある調味料を容器本体１内に予じめ封入しておき、供食時に取り出し、セット等した後の押出体１０の容器本体１内での捻回操作によって、手指、周囲等を汚損することなく、簡単確実に粘稠収容物Ｐを物品容器Ｃ内に供給できる。
【０００８】
すなわちこれは本発明において、上部開放の有底筒状で、粘稠収容物Ｐを収容した容器本体１内で押出体１０を捻回することで、容器本体１の底部側に進行する押出体１０底部の破断突部１４によって容器本体１の底部を破断開口し、押出体１０の押出部１３によって供給口３を経て粘稠収容物Ｐを押出可能にしたからである。これによって、所定の物品容器Ｃに添えることで、粘性調味料の個別パック、手指、周囲等を汚損しない供食時の簡単な供給取り出し等を可能にする。
【０００９】
また容器本体１には雌ネジ２を形成し、押出体１０には雄ネジ１１を形成してあるから、容器本体１内に押出体１０をネジ結合でき、押出体１０の捻回操作によって容器本体１内で押出体１０を進行できる。そのため、押出体１０の押出部１３、破断突部１４が容器本体１底部の被破砕膜４、供給口３を破断開口し、粘稠収容物Ｐを外部に簡単に押し出すことができる。また物品容器Ｃに添えられているときには容器本体１内に収容の粘稠収容物Ｐを外部環境の影響を受けずに新鮮な状態で保持でき、供食必要時での容器本体１に対する押出体１０の捻回操作で、収容している粘稠収容物Ｐ等を簡単に取り出し可能にしている。
【００１０】
押出体１０底部の押出部１３には、容器本体１底部の供給口３を閉塞している被破砕膜４を破断する尖端を備えた破断突部１４を形成してあるから、容器本体１内での押出体１０の進行で破断突部１４が被破砕膜４位置に至り、更に進行すると被破砕膜４を破断するものとなる。こうして開口させた供給口３を経て押出部１３の進行と共に粘稠収容物Ｐを容器本体１外に押出し、容器本体１内に粘稠収容物Ｐを残留させることがない。
【００１１】
更に容器本体１は、物品容器Ｃの開口部に跨るセット板２１に固定してあることで、このセット板２１を物品容器Ｃの開口部に載置セットし、物品容器Ｃと共にセット板２１を保持することによって、容器本体１に対する押出体１０の捻回を確実に操作でき、容器本体１からの粘稠収容物Ｐの物品容器Ｃ内への取り出し供給を円滑にする。
【００１２】
そしてまた、容器本体１の上部に設けたフランジ状の固定縁２７に連続させて容器本体１の外側周面に取付片２８を配し、一方、セット板２１に開口形成した固定孔２２の縁部に位置決めスリット２３を配して、セット板２１に容器本体１を着脱自在に固定することで、セット板２１と容器本体１とを別々に取り扱うことができる。固定孔２２への容器本体１の嵌め入れ、取付片２８の位置決めスリット２３への位置決め挿入によってセット板２１に容器本体１を確実に位置決めでき、押出体１０を捻回するときにセット板２１に対して容器本体１が空回りすることがない。
【００１３】
セット板２１には伸張調整板２４をスライド自在に組み合わせてあるから、伸張調整板２４の突出伸張長さの調整でセット板２１全体長さを調整できる。そのため、物品容器Ｃの開口部幅員に大小があってもこれに対応でき、物品容器Ｃへの載置セットを安定、確実にする。
【００１４】
尚、上記の課題を解決するための手段、発明の効果の項夫々においての符号は、図面中に記載した構成各部を示す部分との参照を容易にするために付した。本発明は図面中の符号によって示された構造・形状等に限定されない。
【発明を実施するための最良の形態】
【００１５】
以下図面を参照して本発明を実施するための最良の一形態を説明する。図において示される符号１は粘性があるペースト状の例えばカラシの如き粘性調味料である粘稠収容物Ｐを所定量で収容する容器本体である。この容器本体１は上部開放の有底筒状を呈し、内周壁面には雌ネジ２が形成されている。また底部には容器本体１内に収容してある粘稠収容物Ｐを容器本体１外部に供給させる破断容易可能な被破砕膜４によって閉塞されている供給口３を設けてある。
【００１６】
容器本体１自体は例えば所定肉厚の合成樹脂材によって形成してあり、雌ネジ２が形成される容器本体１周囲の周側壁は、これ自体が内外で螺旋状溝が形成される凹凸のものとなっていてもよい。
【００１７】
供給口３における被破砕膜４は、容器本体１内からの鋭利な尖端による刺通作用で、少なくとも開穿されるよう破断されるものとなっている。後述するように容器本体１及びこれにネジ止め進行される押圧体１０等がある程度の剛性を備え、被破砕膜４と容器本体１とが一体的に形成されていても、被破砕膜４自体は脆弱性あるものとして形成される。例えば肉薄状にするか、容器本体１の素材に比し脆弱性がある素材とするか等とされる。ただ、刺通作用が付与されないときには破断されず、容器本体１内で所定の粘稠収容物Ｐを収容している状態とする。
【００１８】
このような容器本体１には、これの底部にある被破砕膜４を破断し、内部に収容している粘稠収容物Ｐを押圧して押し出す押出体１０が供給口３側にネジ止め進行するように組み合わせて配装してある。この押出体１０は、容器本体１の雌ネジ２にネジ結合する雄ネジ１１を有して容器本体１内に捻回作用で進入可能になっている。また、捻回操作部１２を上部に設けると共に粘稠収容物Ｐを押出する押出部１３に前記被破砕膜４を破断する尖端を備えた破断突部１４を形成して成る。
【００１９】
図示にあっての押出体１０は、容器本体１内にネジ込まれる上部開放の有底筒状を呈している。また押出体１０自体は例えば所定肉厚の合成樹脂材によって形成してあり、雄ネジ１１が形成される押出体１０周囲の周側壁は、これ自体が内外で螺旋状溝が形成される凹凸のものとなっていてもよい。尚、この押出体１０自体は中空状とするか、中実の無垢状とするかは任意に選定可能である。
【００２０】
捻回操作部１２は、押出体１０本体における上端に例えば横架状に掛け渡された板片として形成されている。もとより、この捻回操作部１２はこれに限定されず、手指にて摘み、あるいは係止等することで押出体１０を捻回操作できればよく、例えば突片状、突部状等であってもよい。
【００２１】
押出部１３は押出体１０自体の底部としてあり、容器本体１における底部とは相互でほぼ並行面となるように形成されている。並行面とすることで、押出体１０が容器本体１内に充分にネジ込まれて押出部１３が容器本体１の底部内側面に到達したとき、容器本体１内の粘稠収容物Ｐを残留させることなく供給口３から押出できるようにする（図３参照）。図５にあっては、押出部１３底面、容器本体１の底部内側面が共に、供給口３の中心側に至るに伴い次第に容器本体１の外方に突出するに傾斜した場合である。こうすることで、粘稠収容物Ｐの押出を一層確実にする。
【００２２】
破断突部１４は押出部１３の底面に錐体状にして突出形成されている。この破断突部１４の高さは、容器本体１内に収容してある粘稠収容物Ｐ容量の高さに比し高くはない。破断突部１４の先端は、押出体１０の捻回によって容器本体１内で進行して供給口３における被破砕膜４に至ると被破砕膜４を突き通してこれを破断するに足る鋭利性を備え、押出部１３底面の粘稠収容物Ｐに対する押出作用と相俟ち、破断部位から粘稠収容物Ｐを押出する。
【００２３】
また図１、図２においては、例えば納豆がパック詰めされている納豆容器である物品容器Ｃの開口部に掛け渡されて使用される例が示されている。すなわち物品容器Ｃ本体の開口縁に跨るように載置されるセット板２１に、容器本体１自体を回転させることなく着脱自在に嵌め合わせて成る。具体的には図示例のように、例えば容器本体１の上部にフランジ状の固定縁２７を設けると共に、この固定縁２７に連続させて容器本体１の外側周面に複数の取付片２８を放射状に配しておく。一方、セット板２１には容器本体１を嵌め入れる固定孔２２を開口形成すると共に、取付片２８が挿入される位置決めスリット２３を固定孔２２縁に同じく放射状に配したものである。
【００２４】
こうすることで、容器本体１の取付片２８を位置決めスリット２３に位置合わせして容器本体１を固定孔２２に嵌め入れ、固定縁２７をセット板２１上面に当接することで、セット板２１に容器本体１を嵌め合わせ固定する。一方、セット板２１を物品容器Ｃ本体の開口縁に跨がせることで容器本体１の底部を物品容器Ｃ内に位置決めする。そして物品容器Ｃに対してセット板２１を例えば手指で挟み込むように固定しておいて、押出体１０の捻回で破断開口した供給口３から粘稠収容物Ｐを物品容器Ｃ内に押出する。
【００２５】
更に図中符号２４は、セット板２１の少なくともいずれか一方の端部に突出伸張可能にしてセット板２１にスライド自在に組み合わせた伸張調整板である。セット板２１の端部の両側縁に形成した左右のスライド案内溝２５にスライド可能にして嵌め合わせてあり、物品容器Ｃの開口幅員に大小があっても突出長さの調整でこれに対応可能にする。
【００２６】
図３においては、セット板２１に容器本体１を一体形成した例を示している。尚、容器本体１とセット板２１とを一体にするか、別体にして組合せ可能にするかは任意に選定可能である。
【００２７】
次にこれの使用の一例を説明する。例えば納豆が個食可能な収容容量でパック詰めされる納豆容器である所定の物品容器Ｃ等に付随して使用される。すなわちカラシ等の所定の調味料である粘稠収容物Ｐを容器本体１内に収容し、この容器本体１にネジ止めした押出体１０にてほぼ密封状に封入した状態とした調味料容器として物品容器Ｃと共に提供しておく。このときの容器本体１は、図４に示されるように単独形態とするも、図１、図２に示されるようにセット板２１との組合せ可能形態とするも、図３に示されるようにセット板２１との一体形態とするも任意である。
【００２８】
納豆を供食するに際し、開封した物品容器Ｃ本体の開口部にセット板２１を跨がせ、容器本体１底部側を物品容器Ｃ本体内に位置決めする。このとき必要であれば伸張調整板２４を適当に伸張させて物品容器Ｃ本体の開口部幅員に対応させる。次いで、物品容器Ｃに対してのセット板２１を一方の手指等にて保持固定しながら、捻回操作部１２を他方の手指等にて摘んで押出体１０を捻回し、押出体１０底部の押出部１３にて被破砕膜４を破断し、開口した供給口３から粘稠収容物Ｐを押出する。
【００２９】
尚、容器本体１はセット板２１と組み合わせずに単独で使用もできる。
【図面の簡単な説明】
【００３０】
【図１】本発明を実施するための最良の形態を示す分解斜視図である。
【図２】同じく使用状態の一例における断面図である。
【図３】同じく別の実施の形態における断面図である。
【図４】同じく別の実施の形態における一部切欠斜視図である。
【図５】同じく別の実施の形態における断面図である。
【符号の説明】
【００３１】
Ｃ…物品容器                            Ｐ…粘稠収容物
１…容器本体                            ２…雌ネジ
３…供給口                              ４…被破砕膜
１０…押出体                            １１…雄ネジ
１２…捻回操作部                        １３…押出部
１４…破断突部
２１…セット板                          ２２…固定孔
２３…位置決めスリット                  ２４…伸張調整板
２５…スライド案内溝                    ２７…固定縁
２８…取付片
【図１】
2007290722.tif 000003
【図２】
2007290722.tif 000004
【図３】
2007290722.tif 000005
【図４】
2007290722.tif 000006
【図５】
2007290722.tif 000007